(57)【要約】      （修正有）【課題】サーフィンのパドリングを容易にかつ長時間可能にする補助具を提供する。【解決手段】サーフィン用のウェットスーツ１０およびベストに、胸部最下部肋骨を覆うように胸腹境界部突起ポケット１１を、また、腹部の前側部に体側部突起ポケット１２、さらに、ウェットスーツの場合は脚前側部に脚側部突起ポケット１３を設けた。突起ポケットの充填物としては、一般には合成樹脂・ゴム製のスポンジが用いられるが、その他、空気・ガス体を用いることができ、この場合は必要に応じて突起物を生成消滅させることができ、空気・ガス体による突起物は浮力を増大し、救命具の役目も兼ねることができるので至便である。ガス体として通常の空気や適度の濃度の酸素を用いれば、救急酸素として利用もできる。【選択図】図１
2013129349.tif 000002
【特許請求の範囲】
【請求項１】
サーフィンに使用するウェットスーツおよびベストにおいて、胸部最下部肋骨を覆うように体幅方向に突起物を固定的またはおよび着脱自在に設けたこと、を特徴とするウェットスーツおよびベスト。
【請求項２】
サーフィンに使用するウェットスーツおよびベストにおいて、身体前側部に身長方向に突起物を固定的またはおよび着脱自在に設けたこと、を特徴とするウェットスーツおよびベスト。
【請求項３】
請求項１および請求項２記載の発明における突起物が、空気・ガス体を利用して、随時生成消滅できるようにしたこと、を特徴とする突起物。
【発明の詳細な説明】
【技術分野】
【０００１】
本願発明は、サーフィンにおいてパドリングを容易にし、かつ、パドリングの労力を軽減する補助具に関する。
【背景技術】
【０００２】
サーフィンは波乗りのスポーツとして広く知られているが、サーフィンにおける運動の殆ど、一説によれば９０％、は波に乗る前の操作であるパドリングであるとされている。
パドリングとは、波を求めて海の上を移動をする時、サーフボード（以下単に「ボード」とも略称する。）の上に腹ばいになり腕を使って水をかく技術のことをいう。
【０００３】
波に関するボードの運動には、進行方向に対する水平方向成分、進行方向に直角でかつ水平方向成分、進行方向に直角でかつ上下方向成分、縦揺れであるピッチングモーメント成分、横揺れであるローリングモーメント成分および左右揺れであるヨーイングモーメントの６つの運動成分（以下「運動の６自由度」と称する。）があり、サーファーは、これらに対応して、ボードを操って、パドリングをしていくことになる。
【０００４】
したがって、パドリングを行うには、パドリング以前に、まず第１に、バランス（ボードの重心と身体の重心の関係のバランス）を取ることが必須である。バランスが取れなければ、ボードに身体を預けることすらできず、ボードを操作することはできない。
特に、ボードの長さが短いショートボードは、バランスを取ることが難しい。
バランスを取るための方法の一つとして、上体を反らすことによって自分の腹部（一般には臍部）に重心を集中させる方法がある。
一説には、ボードと腹部の接触の状態は、小判鮫の小判の状態のようなものだとも言われている。
【０００５】
サーフボードの上に腹ばいになり、バランスをとった上で、腕を使って水をかいていくことになるが、波に乗るために、波とボードの相対速度（以下単に「速度」とも略称する。）を所定の速度になるまでパドリングによって加速しなければならず、しかもその速度に応じて、微妙にバランスを調整して行くことが必要である。
例えば、速度が上がって来ると、ボードは波に対して角度を生じて滑走するようになり、ボードと波の角度が大きくなれば、その角度に応じて、さらにバランスを取っていくことになる。
【０００６】
また、腕を使って水をかいていく際のボードの操作には、前述した運動の６自由度のうち、特に、ボードの縦揺れ（以下適宜「ピッチング」と称する。）と身体のピッチングの調整、および、ボードの横揺れ（以下適宜「ローリング」と称する。）と身体のローリングの調整が必要となる。
【０００７】
したがって、上手いパドリングとは、バランスを取りながら、サーフボードを速いスピードで移動させ、かつ、疲れずに長時間行うことができることをいう。
以上から、パドリングとは、体力・運動能力を必要とする運動であり、特に初心者・年配者にとっては過酷な運動とも言えるものである。
【０００８】
さらに、前方の状況を見るために、バランスを取った上で、さらに上体を上方に持ち上げる（起こす）必要があり、このためサーファーには更なる背筋力が要求される。
【０００９】
したがって、バランスを容易に取ることができ、上体を容易に起こすことができ、スピードを早めることができ、さらに、労力を軽減してパドリングを長時間可能にする補助具があれば好都合である。
【先行技術文献】
【特許文献】
【００１０】
特許電子図書館の公報テキスト検索（公開特許公報）で、以下の条件で検索し、個個について調査したが、該当すると思料できるものはありません。
「要約と請求の範囲」  「サーフィン」
ＡＮＤ  「ＩＰＣ」              Ａ４１Ｄ？
発見された件数は、５件
【発明の概要】
【発明が解決しようとする課題】
【００１１】
本願発明は、上記のような事情のもとで考えだされたもので、簡易に利用できるパドリング補助具を提供することを課題とする。
【課題を解決するための手段】
【００１２】
サーフィンに使用するウェットスーツおよびベスト（以下適宜「ウェットスーツ等」と称する。）に、胸部最下部肋骨を覆うように幅方向に突起物（以下適宜「胸腹境界部突起ポケット」と称する。）を設けた。
【００１３】
また、胸腹境界部突起ポケットは、突起ポケットにスポンジ等を充填して常時突起状態にしてある場合の他、必要に応じて、空気・ガス体を突起ポケットに充填排出して突起の生成消滅また突起の厚さを調整できるようにした。
【００１４】
さらに、過度なローリングを生じないようにするため、ウェットスーツ等に、身体前側部に身長方向に突起物（以下適宜「体側部突起ポケット」と称する。）、またはおよび、脚前側部に身長方向に突起物（以下適宜「脚側部突起ポケット」と称する。）を設け、該体側部突起ポケット・該脚側部突起ポケットも、常時突起状態にしてある場合の他、胸腹境界部突起ポケットと同様に、必要に応じて突起の生成消滅また突起の厚さを調整できるようにした。
なお、胸腹境界部突起ポケット、体側部突起ポケットおよび脚側部突起ポケットを、総称して、「突起ポケット」と言う。
【発明の効果】
【００１５】
サーフィンの上達者にとっても長時間のパドリングを可能にすることは言うまでもなく、特に非力な初心者・年配者にはパドリングを容易にし、長時間のパドリングを可能にする効果があり、初心者にはサーフィングの上達に資するものである（図５）。
特に、胸腹境界部突起ポケットは上記パドリングの効果に顕著なものがあり、また、体側部突起ポケットおよび脚側部突起ポケットはローリングに際して適度の安定感を与える効果がある。
【００１６】
ウェットスーツ等に設ける突起ポケットは、ウェットスーツ等に作り込む構造とすることもでき、また簡単に着脱できる構造とすることができることから、持ち運びに容易であり、使用の際にも格段の労を要しない至便なものである。
【００１７】
ウェットスーツ等に設ける突起ポケットは、当初から突起ポケットにスポンジ等を充填して突起状態にしておくこともできるが、一方必要に応じて、口による吹き込みや小型のガスボンベを使ってガス体を充填して突起の生成消滅また突起の厚さを調整できる。
突起ポケットの素材を密封性の高い素材で作っておけば、ある程度の浮力が期待できて至便である。
なお、小型のガスボンベ等を使って突起ポケットを空気・ガス体で充填させる方式は、空気・ガス体単独で充満させてもよく、この場合は一層の浮力が期待できて救難用具の働きを兼ねさせることもでき、また、通常の空気や適度の濃度の酸素を用いて充填しておけば、ちょっとした救急呼吸用酸素として利用もできる。
【００１８】
突起ポケットを作り込んだウェットスーツの場合は個々人の体形に合わせることが可能であり、サイズに制約があるもののある程度のサイズについては予め揃えて置くできる。
一方、ベストの場合はサイズを数種に限定することができ、既製品として広く販売できる。
【００１９】
突起ポケットは、パドリングを一時的に停止して休息を取る場合にも、身体をリラックスしながら、安定して浮上していることができる。
【００２０】
ウェットスーツは気候が肌に寒い状態に利用されるが、ベストは暖かい海でも利用できるという利点がある。
【図面の簡単な説明】
【００２１】
【図１】図１は、本願発明を設けたウェットスーツの全体を示す斜視図である。
【図２】図２は、本願発明を設けたベストの全体を示す斜視図である。
【図３】図３は、図１におけるＡ矢視の断面図である。
【図４】図４は、図１におけるＢ矢視の断面図である。
【図５】図５は、パドリング状態を示す側面図である。
【発明を実施するための形態】
【００２２】
図１は、ウェットスーツ１０に、胸部最下部肋骨を覆うように胸腹境界部突起ポケット１１を、また、腹部の前側部に体側部突起ポケット１２、さらに、脚前側部に脚側部突起ポケット１３を設けた状態を示す斜視図である（以下、これら突起ポケット１１・１２・１３を総称して適宜「突起ポケット」と称する。）。胸腹境界部突起ポケットの断面を、図１のＡ矢視断面として、図３に示す。また、脚側部突起ポケット１３の断面を、図１のＢ矢視断面として、図４に示す。
図１では突起ポケットをウェットスーツの外側に設けているが、ウェットスーツの内側に設けてもよい。
胸腹境界部突起ポケットの大きさは、横幅は胸部最下部肋骨の前面部を覆う大きさであればよく、縦幅は８ｃｍ程度、厚さは５ｃｍ程度である。なお、胸腹境界部突起ポケットは、左右方向で２分してもよい。
また、突起ポケットはウェットスーツに縫い込んでもよいが、接着剤や予め取付けられた接着剤を塗布された接着布を利用して取付けてもよく、また鉤止部材を備えたファスナーで着脱自在にしてもよく、突起ポケットの周囲に設けたファスナーとウェットスーツに設けたファスナーとで嵌合させるようにしてもよい（図示省略）。
【００２３】
図２は、ベスト２０に、胸部最下部肋骨を覆うように胸腹境界部突起ポケット２１と、腹部の前側部に身長方向に体側部突起ポケット２２を設けた状態を示す斜視図である。以下、これら突起ポケット２１・２２も含めて適宜「突起ポケット」と称する。
突起ポケット２１・２２と、ウェットスーツ１０の場合の突起ポケット１１・１２・１３とは通常は同様のものが使用されるが、ベストとウェットスーツとで各々特化させて別のものとしてもよい。
また、突起ポケット２１・２２の取付方向および取付方法は、ウェットスーツの場合と通常は同様であるが、ベストとウェットスーツとで別個に特化させた取付方向・方法としてもよい。
なお、べストにはウエストバンドが有効である（図示省略）。
【００２４】
突起ポケットの素材は、ウェットスーツの素材と同材質のものが至便であるが、他の材質のものであってもよい。
べストの場合も同様である。
【００２５】
突起ポケットの充填物の素材は、合成樹脂（シリコン樹脂を含む）・ゴム製のスポンジが適しているが、適度に硬質のスポンジが最適であり、また他の材質の物であっても特性が類似の物であればよい。
なお、スポンジであっても吸水性を有しないように外側をコーティング等する方が望ましい。
【００２６】
突起ポケットの充填物として、ガス体を用いることができ、この場合は必要に応じて突起物を生成消滅また突起の厚さを調整できるので至便である。
ガス体には炭酸ガス・酸素ガス・通常の空気等を用いることができ、小型ボンベにしておけば簡易に充填でき好都合である。
なお、ガス体の封じ込めには、空気枕・浮輪等の吹込・排出口が流用できる（詳細省略）。
このガス体を封じ込める方式は浮力の効果によって救命具の役目も期待することができ、さらに、通常の空気や適度の濃度の酸素を用いれば、ちょっとした救急酸素として利用もできる。
【産業上の利用可能性】
【００２７】
サーフィンの上達者はもとより、初心者にはサーフィンの上達を早め、年配熟達者には労力を軽減させて、サーフィンを一層楽しくする商品となるものであり、産業上の利用可能性は極めて高いものである。
【００２８】
本願発明は、製品化するに際しては小規模の製造業を活性化するのに役立つものであって、産業上有益なものである。
【符号の説明】
【００２９】
１０    ウェットスーツ
１１    胸腹境界部突起ポケット（ウェットスーツ付き）
１２    体側部突起ポケット（ウェットスーツ付き）
１３    脚側部突起ポケット（ウェットスーツ付き）
２０    べスト
２１    胸腹境界部突起ポケット（ベスト付き）
２２    体側部突起ポケット（ベスト付き）
【図１】
2013129349.tif 000003
【図２】
2013129349.tif 000004
【図３】
2013129349.tif 000005
【図４】
2013129349.tif 000006
【図５】
2013129349.tif 000007